(57)【要約】【課題】複数の駆動方式のそれぞれに適したチャージシェア方式に対応可能であると共に、チャージシェア方式の選択及び切替をより少ない数の外部制御信号で行うことができる液晶表示装置を提供する。【解決手段】ＬＣＤパネル３のデータ線２２を駆動するデータ線ドライバ１が、データ線２２にそれぞれに接続される出力端子１７と、データ線２２を駆動する駆動電圧を出力する出力バッファ１４と、正極側及び負極側チャージシェアライン１６ａ、１６ｂと、出力端子１７と正極側チャージシェアライン１６ａとの間に接続されたスイッチＳＷ３２と、出力端子１７と負極側チャージシェアライン１６ｂとの間に接続されたスイッチＳＷ３１と、隣接する２つの出力端子１７の間に接続されたスイッチＳＷ２と、極性信号ＰＯＬの反転を検知し、極性信号ＰＯＬの反転の有無に応じてスイッチＳＷ２、ＳＷ３１、ＳＷ３２を制御する極性判定回路１５とを具備する。【選択図】図１
2014052535.tif 000002
【特許請求の範囲】
【請求項１】
液晶表示パネルの複数のデータ線を駆動するデータ線ドライバであって、
前記複数のデータ線にそれぞれに接続される複数の出力端子と、
前記データ線を駆動する駆動電圧を出力する複数の出力バッファと、
第１及び第２チャージシェアラインと、
前記複数の出力端子のそれぞれと前記第１チャージシェアラインとの間にそれぞれに接続された複数の第１スイッチと、
前記複数の出力端子のそれぞれと前記第２チャージシェアラインとの間にそれぞれに接続された複数の第２スイッチと、
前記複数の出力端子の隣接する２つの出力端子の間に接続された第３スイッチと、
極性信号の反転を検知し、前記極性信号の反転の有無に応じて前記第１スイッチ、前記第２スイッチ及び前記第３スイッチを制御する極性判定回路
とを具備する
データ線ドライバ。
【請求項２】
請求項１に記載のデータ線ドライバであって、
前記極性判定回路は、前記極性信号の反転が検知されない場合に、当該データ線ドライバにおけるチャージシェア動作の実施を指示するチャージシェア信号に応答して、前記複数の出力端子のうち正極性の駆動電圧が出力されるべき出力端子を前記第１チャージシェアラインに接続し、前記複数の出力端子のうち負極性の駆動電圧が出力されるべき出力端子を前記第２チャージシェアラインに接続するように前記第１スイッチ及び前記第２スイッチを制御する
データ線ドライバ。
【請求項３】
請求項１又は２に記載のデータ線ドライバであって、
前記極性判定回路は、前記極性信号の反転が検知された場合に、当該データ線ドライバにおけるチャージシェア動作の実施を指示するチャージシェア信号に応答して、前記複数の出力端子のうち正極性の駆動電圧が出力されるべき出力端子を前記第１チャージシェアラインに接続し、前記複数の出力端子のうち負極性の駆動電圧が出力されるべき出力端子を前記第２チャージシェアラインに接続するように前記第１スイッチ及び前記第２スイッチを制御する
データ線ドライバ。
【請求項４】
請求項２又は３に記載のデータ線ドライバであって、
前記極性判定回路は、
前記極性信号の反転を検知し、前記極性信号の反転の有無を示す極性信号反転信号を出力する検知回路と、
前記チャージシェア信号と、前記極性信号反転信号と、前記極性信号とに応答して前記第１スイッチ及び前記第２スイッチを制御する制御信号を生成する論理回路
とを備える
データ線ドライバ。
【請求項５】
請求項４に記載のデータ線ドライバであって、
更に、
外部からシリアルに転送されてくる前記液晶表示パネルの各画素の階調を示す画素データを受け取るデータレジスタ回路と、
ラッチ信号に応答してデータレジスタ回路から前記画素データをラッチするラッチ回路と、
前記ラッチ回路から出力される前記画素データに対してデジタル−アナログ変換を行って前記画素データに対応する階調電圧を出力するＤ／Ａ変換回路
とを具備し、
前記複数の出力バッファは、前記階調電圧に応答して前記駆動電圧を出力し、
前記検知回路は、
前記ラッチ信号に応答して前記極性信号又は前記極性信号の反転信号のいずれかをラッチする第１フリップフロップと、
前記ラッチ信号に応答して前記第１フリップフロップの出力信号をラッチする第２フリップフロップと、
前記第１フリップフロップにラッチされる信号と前記第２フリップフロップとを比較して前記極性信号反転信号を生成する比較器
とを備える
データ線ドライバ。
【請求項６】
複数のデータ線を備える液晶表示パネルと、
データ線ドライバ
とを具備し、
前記データ線ドライバは、
前記複数のデータ線にそれぞれに接続される複数の出力端子と、
前記データ線を駆動する駆動電圧を出力する複数の出力バッファと、
第１及び第２チャージシェアラインと、
前記複数の出力端子のそれぞれと前記第１チャージシェアラインとの間にそれぞれに接続された複数の第１スイッチと、
前記複数の出力端子のそれぞれと前記第２チャージシェアラインとの間にそれぞれに接続された複数の第２スイッチと、
前記複数の出力端子の隣接する２つの出力端子の間に接続された第３スイッチと、
極性信号の反転を検知し、前記極性信号の反転の有無に応じて前記第１スイッチ、前記第２スイッチ及び前記第３スイッチを制御する極性判定回路
とを具備する
液晶表示装置。
【請求項７】
請求項６に記載の液晶表示装置であって、
前記極性判定回路は、前記極性信号の反転が検知されない場合に、当該データ線ドライバにおけるチャージシェア動作の実施を指示するチャージシェア信号に応答して、前記複数の出力端子のうち正極性の駆動電圧が出力されるべき出力端子を前記第１チャージシェアラインに接続し、前記複数の出力端子のうち負極性の駆動電圧が出力されるべき出力端子を前記第２チャージシェアラインに接続するように前記第１スイッチ及び前記第２スイッチを制御する
液晶表示装置。
【請求項８】
請求項６又は７に記載の液晶表示装置であって、
前記極性判定回路は、前記極性信号の反転が検知された場合に、当該データ線ドライバにおけるチャージシェア動作の実施を指示するチャージシェア信号に応答して、前記複数の出力端子のうち正極性の駆動電圧が出力されるべき出力端子を前記第１チャージシェアラインに接続し、前記複数の出力端子のうち負極性の駆動電圧が出力されるべき出力端子を前記第２チャージシェアラインに接続するように前記第１スイッチ及び前記第２スイッチを制御する
液晶表示装置。
【請求項９】
請求項７又は８に記載の液晶表示装置であって、
前記極性判定回路は、
前記極性信号の反転を検知し、前記極性信号の反転の有無を示す極性信号反転信号を出力する検知回路と、
前記チャージシェア信号と、前記極性信号反転信号と、前記極性信号とに応答して前記第１スイッチ及び前記第２スイッチを制御する制御信号を生成する論理回路
とを備える
液晶表示装置。
【請求項１０】
請求項９に記載の液晶表示装置であって、
更に、
外部からシリアルに転送されてくる前記液晶表示パネルの各画素の階調を示す画素データを受け取るデータレジスタ回路と、
ラッチ信号に応答してデータレジスタ回路から前記画素データをラッチするラッチ回路と、
前記ラッチ回路から出力される前記画素データに対してデジタル−アナログ変換を行って前記画素データに対応する階調電圧を出力するＤ／Ａ変換回路
とを具備し、
前記複数の出力バッファは、前記階調電圧に応答して前記駆動電圧を出力し、
前記検知回路は、
前記ラッチ信号に応答して前記極性信号又は前記極性信号の反転信号のいずれかをラッチする第１フリップフロップと、
前記ラッチ信号に応答して前記第１フリップフロップの出力信号をラッチする第２フリップフロップと、
前記第１フリップフロップにラッチされる信号と前記第２フリップフロップとを比較して前記極性信号反転信号を生成する比較器
とを備える
液晶表示装置。
【発明の詳細な説明】
【技術分野】
【０００１】
本発明は、データ線ドライバ及び液晶表示装置に関し、特に、チャージシェアを行うように構成されたデータ線ドライバ及び液晶表示装置に関する。
【背景技術】
【０００２】
近年、液晶表示パネルの大型化、高精細化に伴い、液晶表示パネルに形成される配線の負荷も大きくなってきており、表示パネルの駆動に使われる消費電力が増大するという問題がある。
【０００３】
消費電力の増大に対する一つの対策としては、いわゆるチャージシェアが知られている。チャージシェアとは、液晶表示パネルのデータ線を駆動するデータ線ドライバの出力端子を（例えば、各水平期間（水平同期期間とも呼ばれることがある）の出力ラッチタイミング期間において）一定期間ショートさせる事により、液晶表示パネルの電荷を有効に利用する技術である。
【０００４】
一般に、チャージシェア方式は、各画素の画素電極に印加される電圧（以下、「画素電圧」という。）の極性（基準電圧に対する正／負）を、所定の時間的周期、空間的周期で反転させる反転駆動方式と併用される。例えば、１出力ごとに極性が反転される１ドット反転駆動方式、また、２出力ごとに極性が反転される２ドット反転駆動方式がある。チャージシェア駆動方式と反転駆動方式とを併用する液晶表示装置は、例えば、特開２０１０−２５６４０１号公報、及び、特開２００６−２９２８９９号公報に開示されている。
【０００５】
駆動方式は、表示される画像の種類や表示装置の用途に応じて選択されることが望ましく、加えて、チャージシェア方式も、駆動方式に応じて最適に選択されることが求められる。しかしながら、データ線ドライバを表示される画像の種類や表示装置の用途に応じて異なる設計にすることは不経済である。したがって、データ線ドライバは、複数の駆動方式に対応可能に設計されることが望まれ、更に、各駆動方式に適したチャージシェアを行うように設計されることが望まれる。このとき、駆動方式に応じた最適なチャージシェア方式の選択及び切替を、より少ない数の外部制御信号で、可能であれば特別な外部制御信号を供給せずに自動的に行うことができることが好ましい。しかしながら、このような要求に応える液晶表示装置のデータ線ドライバは知られていない。
【先行技術文献】
【特許文献】
【０００６】
【特許文献１】特開２０１０−２５６４０１号公報
【特許文献２】特開２００６−２９２８９９号公報
【発明の概要】
【発明が解決しようとする課題】
【０００７】
このように、従来のデータ線ドライバには、複数の駆動方式に最適なチャージシェア方式に対応可能であると共に、チャージシェア方式の選択及び切替を、より少ない数の外部制御信号で行うという要求に対応していないという問題がある。
【０００８】
その他の課題と新規な特徴は、本明細書の記述および添付図面から明らかになるであろう。
【課題を解決するための手段】
【０００９】
一実施形態では、液晶表示パネルの複数のデータ線を駆動するデータ線ドライバが、複数のデータ線にそれぞれに接続される複数の出力端子と、データ線を駆動する駆動電圧を出力する複数の出力バッファと、第１及び第２チャージシェアラインと、複数の出力端子のそれぞれと第１チャージシェアラインとの間にそれぞれに接続された複数の第１スイッチと、複数の出力端子のそれぞれと第２チャージシェアラインとの間にそれぞれに接続された複数の第２スイッチと、複数の出力端子の隣接する２つの出力端子の間に接続された第３スイッチと、極性信号の反転を検知し、極性信号の反転の有無に応じて第１スイッチ、第２スイッチ及び第３スイッチを制御する極性判定回路とを具備する。
【発明の効果】
【００１０】
上記の実施形態によれば、複数の駆動方式に対応可能であると共に、駆動方式の選択及び切替をより少ない数の制御信号で行うことができる液晶表示装置が提供される。
【図面の簡単な説明】
【００１１】
【図１】一実施形態の液晶表示装置の構成を示すブロック図である。
【図２】一実施形態におけるチャージシェア回路の構成を示す回路図である。
【図３Ａ】一実施形態における極性判定回路の構成を示す回路図である。
【図３Ｂ】一実施形態における極性判定回路の構成を示す回路図である。
【図４Ａ】１ライン１ドット反転駆動が行われる場合の動作を示すタイミングチャートである。
【図４Ｂ】１ライン１ドット反転駆動が行われる場合の動作を示すタイミングチャートである。
【図５Ａ】１ライン２ドット反転駆動が行われる場合の動作を示すタイミングチャートである。
【図５Ｂ】１ライン２ドット反転駆動が行われる場合の動作を示すタイミングチャートである。
【図６Ａ】２ライン１ドット反転駆動が行われる場合の動作を示すタイミングチャートである。
【図６Ｂ】２ライン１ドット反転駆動が行われる場合の動作を示すタイミングチャートである。
【図７Ａ】２ライン２ドット反転駆動が行われる場合の動作を示すタイミングチャートである。
【図７Ｂ】２ライン２ドット反転駆動が行われる場合の動作を示すタイミングチャートである。
【発明を実施するための形態】
【００１２】
図１は、一実施形態の液晶表示装置の構成を示すブロック図である。当該液晶表示装置は、データ線ドライバ１と、ゲート線ドライバ２と、ＬＣＤ（液晶表示）パネル３とを備えている。ＬＣＤパネル３は、ゲート線２１と、データ線２２と、これらの交点の近傍にそれぞれに設けられた画素２３とを備えている。本実施形態では、ゲート線２１とデータ線２２とが直交するように設けられている。以下において、ゲート線２１が延伸する方向を「水平方向」、データ線２２が延伸する方向を「垂直方向」と呼ぶことがある。また、同一のゲート線２１に対応する画素２３の列を「ライン」と呼ぶことがある。データ線ドライバ１は、ＬＣＤパネル３のデータ線２２を駆動し、ゲート線ドライバ２は、ゲート線２１を駆動する。
【００１３】
ＬＣＤパネル３の各画素２３は、ＴＦＴ（thin film transistor）２３ａと、画素電極２３ｂとを備えている。各ゲート線２１は、対応する画素２３のＴＦＴ２３ａのゲートとして使用される。ＴＦＴ２３ａの一方のソース／ドレインはデータ線２２に接続され、他方のソース／ドレインは画素電極２３ｂに接続されている。画素電極２３ｂは、共通電極２４と対向するように設けられており、画素電極２３ｂと共通電極２４との間には液晶が満たされて液晶容量が形成されている。以下において、共通電極２４の電位（基準電圧）を、共通電位Ｖｃｏｍという。
【００１４】
データ線ドライバ１は、外部（例えば、タイミングコントローラ）から供給される垂直同期信号Ｖｓｙｎｃ、水平同期信号Ｈｓｙｎｃ、ドット制御信号ＳＤＯＴ及び極性信号ＰＯＬを含む外部制御信号、並びに、画素データＤＩＮに応答して、ＬＣＤパネル３のデータ線２２を駆動する。ここで、画素データＤＩＮとは、ＬＣＤパネル３の各画素２３の階調を示すデータである。
【００１５】
本実施形態では、データ線ドライバ１が、チャージシェアと反転駆動とを併用する駆動に対応可能に構成されている。加えて、データ線ドライバ１が、次の４つの反転駆動：１ライン１ドット反転駆動、１ラインＭドット反転駆動、Ｎライン１ドット反転駆動、ＮラインＭドット反転駆動に対応するように構成されている。ここで、１ライン１ドット反転駆動とは、水平方向、及び垂直方向の両方において、１個の画素２３毎に駆動電圧の極性を反転させる駆動方式である。１ラインＭドット反転駆動とは、垂直方向においては１個の画素毎に駆動電圧の極性を反転させる一方で、水平方向においてはＭ個の画素２３毎に駆動電圧の極性を反転させる駆動方式である。Ｎライン１ドット反転駆動とは、垂直方向においてはＮライン毎に（即ち、Ｎ個の画素２３毎に）駆動電圧の極性を反転させる一方で、水平方向においては１個の画素２３毎に駆動電圧の極性を反転させる駆動方式である。
更に、ＮラインＭドット反転駆動とは、垂直方向においてはＮライン毎に駆動電圧の極性を反転させる一方で、水平方向においてはＭ個の画素２３毎に駆動電圧の極性を反転させる駆動方式である。なお、本明細書においては、駆動電圧の極性は、共通電位Ｖｃｏｍを基準として定義する。駆動電圧が共通電位Ｖｃｏｍよりも高い場合、駆動電圧の極性は「正」であると定義され、駆動電圧が共通電位Ｖｃｏｍよりも低い場合、駆動電圧の極性は「負」であると定義される。
【００１６】
ここで、本実施形態の液晶表示装置では、極性信号ＰＯＬの反転を検知することで駆動電圧の極性が反転されるライン数（１ライン又はＮライン）に応じてチャージチェア方式を自動的に切り替えている。即ち、液晶表示装置の制御において広く使用されている極性信号ＰＯＬの反転を検出することで、駆動電圧の極性が反転されるライン数に応じたチャージチェア方式の切り替えが行われる。これにより、本実施形態の液晶表示装置では、チャージシェアと反転駆動との両方を行うために外部から供給される制御信号の数が低減されている。以下では、本実施形態におけるデータ線ドライバ１の構成と動作について詳細に説明する。
【００１７】
データ線ドライバ１は、データレジスタ回路１１とラッチ回路１２と、Ｄ／Ａ変換回路１３と、出力バッファ１４１〜１４ｎと、極性判定回路１５１〜１５ｎと、チャージシェア回路１６と、出力端子１７１〜１７ｎと、制御回路１８とを備えている。
【００１８】
データレジスタ回路１１は、外部からシリアルに転送されてくる画素データＤＩＮを受け取って保存する。データレジスタ回路１１は、１ラインの画素２３に対応する画素データＤＩＮを保存する容量を持っている。
【００１９】
ラッチ回路１２は、制御回路１８から供給されるラッチ信号ＳＴＢに応答してデータレジスタ回路１１から１ラインの画素２３に対応する画素データＤＩＮをラッチする。ラッチ信号ＳＴＢがアサートされると（本実施形態では“Ｈ”レベルにされると）、ラッチ回路１２は、１ラインの画素２３に対応する画素データＤＩＮをデータレジスタ回路１１からラッチし、Ｄ／Ａ変換回路１３に供給する。ラッチ信号ＳＴＢは、各水平期間において、出力端子１７１〜１７ｎからの駆動電圧の出力の開始の前にアサートされ、各水平期間において駆動電圧の生成に用いられる画素データＤＩＮをデータレジスタ回路１１からラッチ回路１２にラッチさせる役割を有している。
【００２０】
Ｄ／Ａ変換回路１３は、ラッチ回路１２から受け取った画素データＤＩＮに対してデジタル−アナログ変換を行い、画素データＤＩＮのデータ値に対応する電圧レベルを有する階調電圧を出力する。Ｄ／Ａ変換回路１３からは、１ラインの画素２３に対応する数の階調電圧が出力される。本実施形態では、Ｄ／Ａ変換回路１３から出力される階調電圧の数はＮ個である。
【００２１】
Ｄ／Ａ変換回路１３から出力される階調電圧の極性は、外部から供給される極性信号ＰＯＬ及びドット制御信号ＳＤＯＴに応じて決定される。極性信号ＰＯＬは、出力端子１７１〜１７ｎから出力される駆動電圧の極性の反転を指示する信号であり、極性信号ＰＯＬが“Ｈ”レベルから“Ｌ”レベルに、又は、“Ｌ”レベルから“Ｈ”レベルに反転されると、出力端子１７１〜１７ｎから出力される駆動電圧の極性も反転される。一方、ドット制御信号ＳＤＯＴは、水平方向について駆動電圧の極性が反転される空間的周期を指定するための信号である。ドット制御信号ＳＤＯＴにより、水平方向において１個の画素２３毎に駆動電圧の極性が反転される動作と、水平方向においてＭ個の画素２３毎に駆動電圧の極性が反転される動作との切り替えが行われる。水平方向において１個の画素２３毎に駆動電圧の極性が反転される場合、出力端子１７から出力される駆動電圧の極性は、１個の出力端子１７毎に反転される。同様に、水平方向においてＭ個の画素２３毎に駆動電圧の極性が反転される場合、出力端子１７から出力される駆動電圧の極性は、Ｍ個の出力端子１７毎に反転される。
【００２２】
出力バッファ１４１〜１４ｎは、データ線２２を駆動可能な駆動能力を有する電圧フォロアであり、Ｄ／Ａ変換回路１３から受け取った階調電圧に対応する駆動電圧を介して出力端子１７１〜１７ｎに出力する。出力端子１７１〜１７ｎにはＬＣＤパネル３のデータ線２２が接続されており、駆動電圧は、出力端子１７１〜１７ｎからデータ線２２に出力され、更に、選択された画素２３（対応するゲート線２１が活性化された画素２３）に供給される。
【００２３】
極性判定回路１５１〜１５ｎとチャージシェア回路１６とは、チャージシェアを行うために用いられる回路群である。極性判定回路１５は、外部から供給される極性信号ＰＯＬ、チャージシェア信号ＣＳ及びドット制御信号ＳＤＯＴに応答して後述のチャージシェア回路１６に含まれる各スイッチを制御する。チャージシェア回路１６は、出力端子１７をショートするためのスイッチ群を備えている。極性判定回路１５及びチャージシェア回路１６の構成と動作については、後に詳細に説明する。
【００２４】
制御回路１８は、垂直同期信号Ｖｓｙｎｃ、水平同期信号Ｈｓｙｎｃ、ドット制御信号ＳＤＯＴ及びその他の外部制御信号に応答して各種の制御信号を生成し、これにより、データ線ドライバ１の各回路の制御を行う。本実施形態では、制御回路１８によって生成される制御信号は、ラッチ信号ＳＴＢ、チャージシェア信号ＣＳ、及び、内部ドット制御信号ＳＤＯＴ＿１〜ＳＤＯＴ＿２Ｍを含む。ここで、Ｍは、水平方向において駆動電圧の極性が反転される画素２３の周期であり、Ｍドット反転駆動が行われる場合、２Ｍ個の内部ドット制御信号が生成される。ラッチ信号ＳＴＢは、上述の通り、ラッチ回路１２にデータレジスタ回路１１から画素データＤＩＮをラッチさせる制御を行うための信号である。ラッチ信号ＳＴＢは、垂直同期信号Ｖｓｙｎｃ、及び、水平同期信号Ｈｓｙｎｃに同期して生成される。チャージシェア信号ＣＳは、極性判定回路１５及びチャージシェア回路１６にチャージシェアのための動作を行わせる制御を行うための信号である。内部ドット制御信号ＳＤＯＴ＿１〜ＳＤＯＴ＿２Ｍは、上述のドット制御信号ＳＤＯＴから生成される信号であり、ドット制御信号ＳＤＯＴによって指定された駆動電圧の極性が反転される空間的周期を実現するように極性判定回路１５１〜１５ｎを制御する信号である。
【００２５】
図２は、本実施形態におけるチャージシェア回路１６の構成を示す回路図である。チャージシェア回路１６は、スイッチＳＷ１、ＳＷ２、ＳＷ３１、ＳＷ３２、正極側チャージシェアライン１６ａ、及び、負極側チャージシェアライン１６ｂを備えている。スイッチＳＷ１、ＳＷ２、ＳＷ３１、ＳＷ３２は、出力バッファ１４１〜１４ｎ、正極側チャージシェアライン１６ａ、負極側チャージシェアライン１６ｂ及び出力端子１７１〜１７ｎの間の接続関係を切り替えるためのスイッチ回路部を構成している。スイッチＳＷ１は、出力バッファ１４１〜１４ｎと出力端子１７１〜１７ｎの間に接続されており、チャージシェア動作を行う際に（即ち、チャージシェア信号ＣＳがアサートされている間の期間に）、出力バッファ１４１〜１４ｎを出力端子１７１〜１７ｎから切り離す。スイッチＳＷ２は、隣接する出力端子１７２ｉ−１、１７２ｉ（ｉは、１以上ｎ／２以下の自然数）の間に接続されており、チャージシェア動作を行う際に隣接する出力端子１７２ｉ−１、１７２ｉをショートする機能を有している。スイッチＳＷ３１は、出力端子１７１〜１７ｎと正極側チャージシェアライン１６ａとの間に接続されており、スイッチＳＷ３２は、出力端子１７１〜１７ｎと負極側チャージシェアライン１６ｂとの間に接続されている。後述されるように、正極側チャージシェアライン１６ａは、１ドットＮライン反転駆動又はＭドットＮライン反転駆動が行われる場合のチャージシェア動作において、直前に正極性の駆動電圧が供給されたデータ線２２についてチャージシェアを行うために使用される。一方、負極側チャージシェアライン１６ｂは、１ドットＮライン反転駆動又はＭドットＮライン反転駆動が行われる場合のチャージシェア動作において、直前に負極性の駆動電圧が供給されたデータ線２２についてチャージシェアを行うために使用される。
【００２６】
出力端子１７ｊに接続されたスイッチＳＷ３１、ＳＷ３２は、対応する極性判定回路１５ｊによって制御される。また、隣接する出力端子１７２ｉ−１、１７２ｉの間に接続されたスイッチＳＷ２は、奇数番目の極性判定回路１５２ｉ−１によって制御される。
【００２７】
図３Ａは、本実施形態における奇数番目の極性判定回路１５２ｉ−１のそれぞれの構成を示す回路図であり、図３Ｂは、偶数番目の極性判定回路１５２ｉのそれぞれの構成を示す回路図である。奇数番目の極性判定回路１５２ｉ−１は、それぞれ、インバータ３１、セレクタ３２、フリップフロップ３３、３４、ＸＯＲ（排他的論理和）ゲート３５、ＯＲゲート３６、３７、ＡＮＤゲート３８〜４０、及び、インバータ４１を備えている。
【００２８】
インバータ３１は、極性信号ＰＯＬの反転信号である極性信号／ＰＯＬを生成する。セレクタ３２は、各極性判定回路１５に供給される内部ドット制御信号ＳＤＯＴ＿ｋに応答して極性信号ＰＯＬ、／ＰＯＬの一方を選択極性信号ＰＯＬＳＥＬとして出力する。詳細には、セレクタ３２は、内部ドット制御信号ＳＤＯＴ＿ｋが“ＨＩＧＨ”レベルである場合、極性信号ＰＯＬを選択極性信号ＰＯＬＳＥＬとして選択し、内部ドット制御信号ＳＤＯＴ＿ｋが“ＬＯＷ”レベルである場合、極性信号／ＰＯＬを選択極性信号ＰＯＬＳＥＬとして選択する。ここで、各極性判定回路１５に供給される内部ドット制御信号ＳＤＯＴ＿ｋは、内部ドット制御信号ＳＤＯＴ＿１〜ＳＤＯＴ＿２Ｍのいずれかである。各極性判定回路１５に内部ドット制御信号ＳＤＯＴ＿１〜ＳＤＯＴ＿２Ｍのいずれが供給されるかについては、後で詳細に説明する。
【００２９】
フリップフロップ３３、３４と、ＸＯＲゲート３５は、選択極性信号ＰＯＬＳＥＬの反転を検知する検知回路を構成している。ここで、選択極性信号ＰＯＬＳＥＬは、極性信号ＰＯＬと、その反転信号である極性信号／ＰＯＬのいずれかであるから、選択極性信号ＰＯＬＳＥＬの反転を検出することは、極性信号ＰＯＬの反転を検出することと等価であることに留意されたい。
【００３０】
詳細には、フリップフロップ３３のデータ入力には選択極性信号ＰＯＬＳＥＬが入力され、フリップフロップ３４のデータ入力は、フリップフロップ３３のデータ出力に接続されている。フリップフロップ３４のデータ出力は、ＸＯＲゲート３５の一方の入力に接続されている。ＸＯＲゲート３５の他方の入力には選択極性信号ＰＯＬＳＥＬが入力される。フリップフロップ３３、３４のクロック端子にはラッチ信号ＳＴＢが入力される。ラッチ信号ＳＴＢは、各水平期間の開始直後のブランキング期間に（即ち、駆動電圧の出力が開始される直前に）アサートされる。結果として、ラッチ信号ＳＴＢがアサートされると、フリップフロップ３３は、現在の水平期間の選択極性信号ＰＯＬＳＥＬの値を保持し、フリップフロップ３４は、直前の水平期間の選択極性信号ＰＯＬＳＥＬの値を保持することになる。ＸＯＲゲート３５は、フリップフロップ３４の出力と選択極性信号ＰＯＬＳＥＬとを比較する比較器として動作し、フリップフロップ３４の出力と選択極性信号ＰＯＬＳＥＬとが相違するときにその出力信号を“Ｈ”レベルに設定する。結果として、現在の水平期間の選択極性信号ＰＯＬＳＥＬが直前の水平期間の選択極性信号ＰＯＬＳＥＬから反転されたときにＸＯＲゲート３５の出力信号が“Ｈ”レベルにされる。そして、選択極性信号ＰＯＬＳＥＬの反転を検出することは、極性信号ＰＯＬの反転を検出することと等価であるから、ＸＯＲゲート３５の出力信号は、極性信号ＰＯＬが反転の有無を示す信号になる。ＸＯＲゲート３５の出力信号が、極性信号ＰＯＬが反転の有無を示す極性信号反転信号ＳＬＩＮＥとして用いられる。
【００３１】
ＯＲゲート３６、３７、ＡＮＤゲート３８、３９、４０及びインバータ４１は、選択極性信号ＰＯＬＳＥＬ、極性信号反転信号ＳＬＩＮＥ、及び、チャージシェア信号ＣＳから、チャージシェア回路１６のスイッチＳＷ２、ＳＷ３１、ＳＷ３２を制御する制御信号を生成する論理回路を構成している。
【００３２】
上述の構成の極性判定回路１５２ｉ−１では、極性信号ＰＯＬが反転された場合（即ち、極性信号反転信号ＳＬＩＮＥが“Ｈ”レベルである場合）、チャージシェア信号ＣＳがアサートされている期間（“Ｈ”レベルに設定されている期間）においてスイッチＳＷ２、ＳＷ３１、ＳＷ３２を制御する制御信号が全てアサートされる。この場合、スイッチＳＷ２、ＳＷ３１、ＳＷ３２がオンされる。一方、極性信号ＰＯＬが反転されない場合、スイッチＳＷ２を制御する信号はネゲートされる一方、スイッチＳＷ３１、ＳＷ３２を制御する信号は、選択極性信号ＰＯＬＳＥＬに応じて生成される。詳細には、極性信号ＰＯＬが反転されないときには、選択極性信号ＰＯＬＳＥＬが“Ｈ”レベルであり、且つ、チャージシェア信号ＣＳがアサートされている場合にスイッチＳＷ３２を制御する信号がアサートされ、スイッチＳＷ３１を制御する信号がネゲートされる。また、極性信号ＰＯＬが反転されないときには、選択極性信号ＰＯＬＳＥＬが“Ｌ”レベルであり、且つ、チャージシェア信号ＣＳがアサートされている場合にスイッチＳＷ３１を制御する信号がアサートされ、スイッチＳＷ３２を制御する信号がネゲートされる。
【００３３】
また、図３Ｂに図示されているように、偶数番目の極性判定回路１５２ｉの構成は、スイッチＳＷ２を制御する制御信号を出力するＡＮＤゲート３８が設けられないこと以外、奇数番目の極性判定回路１５２ｉ−１と同一である。
【００３４】
上記において、各極性判定回路１５に供給される内部ドット制御信号ＳＤＯＴ＿ｋは、
２Ｍ個の極性判定回路１５を周期として切り替えられる。即ち、極性判定回路１５（２Ｍｋ＋１）〜１５２Ｍ（ｋ＋１）（ｋは０以上の整数）に、それぞれ、内部ドット制御信号ＳＤＯＴ＿１〜ＳＤＯＴ＿２Ｍが供給される。例えば、２ドット反転駆動が行われる場合（Ｍ＝２）の場合、極性判定回路１５１〜１５４に、それぞれ、内部ドット制御信号ＳＤＯＴ＿１〜ＳＤＯＴ＿４が供給される。図２には、Ｍ＝２の例が図示されている。内部ドット制御信号ＳＤＯＴ＿１〜ＳＤＯＴ＿２Ｍの値は、水平方向における駆動電圧の極性が反転される周期に応じて決定される。
【００３５】
図４Ａ乃至図７Ｂは、本実施形態における極性判定回路１５及びチャージシェア回路１６の動作を示すタイミングチャートである。ここでは、一例として、本実施形態の液晶表示装置において、１ライン１ドット反転駆動、１ライン２ドット反転駆動、２ライン１ドット反転駆動、２ライン２ドット反転駆動のいずれかが選択的に行われ、チャージシェア動作も反転駆動方式の選択に応じて切り替えられるとして説明を行う。即ち、Ｎ＝Ｍ＝２の場合について説明を行う。この場合、４つの内部ドット制御信号ＳＤＯＴ＿１〜ＳＤＯＴ＿４が生成されることになる。以下では、これらの反転駆動のそれぞれについて、極性判定回路１５１〜１５４、及び、それらによって制御されるスイッチＳＷ２、ＳＷ３１、ＳＷ３２の、第４ｋ乃至４ｋ＋３水平期間における動作について説明する。ただし、他の極性判定回路１５及びスイッチＳＷ２、ＳＷ３１、ＳＷ３２の動作、及び、他の水平期間における動作も同様であることは当業者には容易に理解されよう。
【００３６】
（１ライン１ドット反転駆動）
図４Ａ、図４Ｂは、１ライン１ドット反転駆動が行われる場合のチャージシェア動作を示すタイミングチャートである。１ライン１ドット反転駆動では、各出力端子１７から出力される駆動電圧の極性が、１個の出力端子１７毎に反転されると共に、１水平期間毎に反転される。この場合、内部ドット制御信号ＳＤＯＴ＿１、ＳＤＯＴ＿３は、“ＨＩＧＨ”レベルに設定され、内部ドット制御信号ＳＤＯＴ＿２、ＳＤＯＴ＿４は、“ＬＯＷ”レベルに設定される。内部ドット制御信号ＳＤＯＴ＿１、ＳＤＯＴ＿３に応答して、奇数番目の極性判定回路１５１、１５３においては選択極性信号ＰＯＬＳＥＬとして極性信号ＰＯＬが選択される。一方、偶数番目の極性判定回路１５２、１５４においては、内部ドット制御信号ＳＤＯＴ＿２、ＳＤＯＴ＿４に応答して極性信号ＰＯＬの反転信号である極性信号／ＰＯＬが選択される。
【００３７】
詳細には、奇数番目の水平期間（第４ｋ＋１、第４ｋ＋３水平期間）では、奇数番目の出力端子１７１、１７３から正極性の駆動電圧が出力され、偶数番目の出力端子１７２、１７４から負極性の駆動電圧が出力される。詳細には、Ｄ／Ａ変換回路１３は、極性信号ＰＯＬとドット制御信号ＳＤＯＴに応答して、出力バッファ１４１、１４３に正極性の階調電圧を出力すると共に出力バッファ１４２、１４４に負極性の階調電圧を出力する。出力バッファ１４１〜１４４は、供給された階調電圧に対応する駆動電圧を出力端子１７１〜１７４に出力する。一方、偶数番目の水平期間（第４ｋ＋２、第４ｋ＋４）水平期間では、奇数番目の出力端子１７１、１７３から負極性の駆動電圧が出力され、偶数番目の出力端子１７２、１７４から正極性の駆動電圧が出力される。
【００３８】
極性判定回路１５１〜１５４は、各水平期間において極性信号ＰＯＬ（又は選択極性信号ＰＯＬＳＥＬ）が反転されることを検出し、極性信号反転信号ＳＬＩＮＥを各水平期間において“Ｈ”レベルに設定する。このため、各水平期間において、チャージシェア信号ＣＳがアサートされている間にスイッチＳＷ２、ＳＷ３１、ＳＷ３２がオンされる。これにより、チャージシェア信号ＣＳがアサートされている間、全ての出力端子１７１〜１７４がショートされてチャージシェアが行われる。上述されているように、チャージシェアが行われている間（即ち、チャージシェア信号ＣＳがアサートされている間）、スイッチＳＷ１がオフされることに留意されたい。
【００３９】
（１ライン２ドット反転駆動）
図５Ａ、図５Ｂは、１ライン２ドット反転駆動が行われる場合のチャージシェア動作を示すタイミングチャートである。１ライン２ドット反転駆動では、各出力端子１７から出力される駆動電圧の極性が、２個の出力端子１７毎に反転されると共に、１水平期間毎に反転される。この場合、内部ドット制御信号ＳＤＯＴ＿１、ＳＤＯＴ＿２は、“ＨＩＧＨ”レベルに設定され、内部ドット制御信号ＳＤＯＴ＿３、ＳＤＯＴ＿４は、“ＬＯＷ”レベルに設定される。内部ドット制御信号ＳＤＯＴ＿１、ＳＤＯＴ＿２に応答して、極性判定回路１５１、１５２においては選択極性信号ＰＯＬＳＥＬとして極性信号ＰＯＬが選択される。一方、極性判定回路１５３、１５４においては、内部ドット制御信号ＳＤＯＴ＿３、ＳＤＯＴ＿４に応答して極性信号ＰＯＬの反転信号である極性信号／ＰＯＬが選択される。
【００４０】
詳細には、奇数番目の水平期間（第４ｋ＋１、第４ｋ＋３水平期間）では、出力端子１７１、１７２から正極性の駆動電圧が出力され、出力端子１７３、１７４から負極性の駆動電圧が出力される。詳細には、Ｄ／Ａ変換回路１３は、極性信号ＰＯＬとドット制御信号ＳＤＯＴに応答して、出力バッファ１４１、１４２に正極性の階調電圧を出力すると共に出力バッファ１４３、１４４に負極性の階調電圧を出力する。出力バッファ１４１〜１４４は、供給された階調電圧に対応する駆動電圧を出力端子１７１〜１７４に出力する。一方、偶数番目の水平期間（第４ｋ＋２、第４ｋ＋４水平期間）では、出力端子１７１、１７３から負極性の駆動電圧が出力され、出力端子１７２、１７４から正極性の駆動電圧が出力される。
【００４１】
極性判定回路１５１〜１５４は、極性信号ＰＯＬ（又は選択極性信号ＰＯＬＳＥＬ）が各水平期間において反転されることを検出し、極性信号反転信号ＳＬＩＮＥを各水平期間において“Ｈ”レベルに設定する。このため、各水平期間において、チャージシェア信号ＣＳがアサートされている間にスイッチＳＷ２、ＳＷ３１、ＳＷ３２がオンされる。これにより、チャージシェア信号ＣＳがアサートされている間、全ての出力端子１７１〜１７４がショートされてチャージシェアが行われる。
【００４２】
（２ライン１ドット反転駆動）
図６Ａ、図６Ｂは、２ライン１ドット反転駆動が行われる場合のチャージシェア動作を示すタイミングチャートである。２ライン１ドット反転駆動では、各出力端子１７から出力される駆動電圧の極性が、隣接する出力端子１７の間で逆にされると共に、２水平期間毎に反転される。
この場合、内部ドット制御信号ＳＤＯＴ＿１、ＳＤＯＴ＿３は、“ＨＩＧＨ”レベルに設定され、内部ドット制御信号ＳＤＯＴ＿２、ＳＤＯＴ＿４は、“ＬＯＷ”レベルに設定される。内部ドット制御信号ＳＤＯＴ＿１、ＳＤＯＴ＿３に応答して、極性判定回路１５１、１５３においては選択極性信号ＰＯＬＳＥＬとして極性信号ＰＯＬが選択される。一方、極性判定回路１５２、１５４においては、内部ドット制御信号ＳＤＯＴ＿２、ＳＤＯＴ＿４に応答して極性信号／ＰＯＬが選択される。
【００４３】
詳細には、第４ｋ＋１、第４ｋ＋２水平期間では、奇数番目の出力端子１７１、１７３から正極性の駆動電圧が出力され、偶数番目の出力端子１７２、１７４から負極性の駆動電圧が出力される。また、第４ｋ＋３、第４ｋ＋４水平期間では、奇数番目の出力端子１７１、１７３から負極性の駆動電圧が出力され、偶数番目の出力端子１７２、１７４から正極性の駆動電圧が出力される。
【００４４】
２ライン１ドット反転駆動においては、各出力端子１７から出力される駆動電圧の極性が反転されない場合に、正極性の駆動電圧を出力する出力端子１７と負極性の駆動電圧を出力する出力端子１７とで別々にチャージシェアを行う必要がある。このため、上述のチャージシェア回路１６の構成では、正極性の駆動電圧を出力している出力端子１７が正極側チャージシェアライン１６ａに接続されるとともに、負極性の駆動電圧を出力している出力端子１７を負極側チャージシェアライン１６ｂに接続される。上述の極性判定回路１５は、このような動作を行うようにチャージシェア回路１６の各スイッチを制御する。
【００４５】
詳細には、第４ｋ＋１水平期間では、その直前の水平期間から極性信号ＰＯＬが反転されるので、各極性判定回路１５において極性信号ＰＯＬの反転が検出されて極性信号反転信号ＳＬＩＮＥが“Ｈ”レベルに設定される。このため、各水平期間において、チャージシェア信号ＣＳがアサートされている間にスイッチＳＷ２、ＳＷ３１、ＳＷ３２がオンされる。これにより、チャージシェア信号ＣＳがアサートされている間、全ての出力端子１７１〜１７４がショートされてチャージシェアが行われる。このとき、スイッチＳＷ１は、チャージシェア信号ＣＳがアサートされている間、オフされる。
【００４６】
第４ｋ＋１水平期間に続く第４ｋ＋２水平期間では、その直前の水平期間（第４ｋ＋１水平期間）から極性信号ＰＯＬが反転されず、よって極性信号反転信号ＳＬＩＮＥが“Ｌ”レベルに設定される。この場合、スイッチＳＷ２がオフされると共に、各極性判定回路１５において選択された選択極性信号ＰＯＬＳＥＬに応答してスイッチＳＷ３１、ＳＷ３２が制御される。
【００４７】
詳細には、極性判定回路１５１、１５３においては、選択極性信号ＰＯＬＳＥＬ（即ち、極性信号ＰＯＬ）が“Ｈ”レベルであることに応答して、チャージシェア信号ＣＳがアサートされている期間において、極性判定回路１５１、１５３に接続されたスイッチＳＷ３２がオンされる。ここで、極性判定回路１５１、１５３に接続されたスイッチＳＷ３１はオフのままに維持される。これにより、直前に正極性の駆動電圧が出力されていた出力端子１７１、１７３が正極側チャージシェアライン１６ａに接続され、出力端子１７１、１７３の間のチャージシェア動作が行われる。
【００４８】
一方、極性判定回路１５２、１５４においては、選択極性信号ＰＯＬＳＥＬ（即ち、極性信号／ＰＯＬ）が“Ｌ”レベルであることに応答して、チャージシェア信号ＣＳがアサートされている間、極性判定回路１５２、１５４に接続されたスイッチＳＷ３１がオンされる。極性判定回路１５２、１５４に接続されたスイッチＳＷ３２はオフのままに維持される。これにより、直前に負極性の駆動電圧が出力されていた出力端子１７２、１７４が負極側チャージシェアライン１６ｂに接続され、出力端子１７２、１７４の間のチャージシェア動作が行われる。
【００４９】
更に、第４ｋ＋３水平期間では、その直前の水平期間（第４ｋ＋２水平期間）から極性信号ＰＯＬが反転されるので、各極性判定回路１５において極性信号ＰＯＬの極性の反転が検出されて極性信号反転信号ＳＬＩＮＥが“Ｈ”レベルに設定される。このため、各水平期間において、チャージシェア信号ＣＳがアサートされている間にスイッチＳＷ２、ＳＷ３１、ＳＷ３２がオンされる。これにより、チャージシェア信号ＣＳがアサートされている間、全ての出力端子１７１〜１７４がショートされてチャージシェアが行われる。このとき、スイッチＳＷ１は、チャージシェア信号ＣＳがアサートされている間、オフされる。
【００５０】
第４ｋ＋３水平期間に続く第４ｋ＋４水平期間では、その直前の水平期間（第４ｋ＋３水平期間）から極性信号ＰＯＬが反転されず、よって極性信号反転信号ＳＬＩＮＥが“Ｌ”レベルに設定される。この場合、スイッチＳＷ２がオフされると共に、各極性判定回路１５において選択された選択極性信号ＰＯＬＳＥＬに応答してスイッチＳＷ３１、ＳＷ３２が制御される。
【００５１】
詳細には、極性判定回路１５１、１５３においては、選択極性信号ＰＯＬＳＥＬ（即ち、極性信号ＰＯＬ）が“Ｌ”レベルであることに応答して、チャージシェア信号ＣＳがアサートされている期間において、極性判定回路１５１、１５３に接続されたスイッチＳＷ３１がオンされる。ここで、極性判定回路１５１、１５３に接続されたスイッチＳＷ３２はオフのままに維持される。これにより、直前に負極性の駆動電圧が出力されていた出力端子１７１、１７３が負極側チャージシェアライン１６ｂに接続され、出力端子１７１、１７３の間のチャージシェア動作が行われる。
【００５２】
一方、極性判定回路１５２、１５４においては、選択極性信号ＰＯＬＳＥＬ（即ち、極性信号／ＰＯＬ）が“Ｈ”レベルであることに応答して、チャージシェア信号ＣＳがアサートされている間、極性判定回路１５２、１５４に接続されたスイッチＳＷ３２がオンされる。極性判定回路１５２、１５４に接続されたスイッチＳＷ３１はオフのままに維持される。これにより、直前に正極性の駆動電圧が出力されていた出力端子１７２、１７４が正極側チャージシェアライン１６ａに接続され、出力端子１７２、１７４の間のチャージシェア動作が行われる。
【００５３】
（２ライン２ドット反転駆動）
図７Ａ、図７Ｂは、２ライン２ドット反転駆動が行われる場合のチャージシェア動作を示すタイミングチャートである。２ライン２ドット反転駆動では、各出力端子１７から出力される駆動電圧の極性が２個の出力端子１７の間で反転されると共に、２水平期間毎に反転される。この場合、内部ドット制御信号ＳＤＯＴ＿１、ＳＤＯＴ＿２は、“ＨＩＧＨ”レベルに設定され、内部ドット制御信号ＳＤＯＴ＿３、ＳＤＯＴ＿４は、“ＬＯＷ”レベルに設定される。内部ドット制御信号ＳＤＯＴ＿１、ＳＤＯＴ＿２に応答して、極性判定回路１５１、１５２においては選択極性信号ＰＯＬＳＥＬとして極性信号ＰＯＬが選択される。一方、極性判定回路１５３、１５４においては、内部ドット制御信号ＳＤＯＴ＿３、ＳＤＯＴ＿４に応答して極性信号／ＰＯＬが選択される。
【００５４】
詳細には、第４ｋ＋１、第４ｋ＋２水平期間では、出力端子１７１、１７２から正極性の駆動電圧が出力され、出力端子１７３、１７４から負極性の駆動電圧が出力される。また、第４ｋ＋３、第４ｋ＋４水平期間では、出力端子１７１、１７２から負極性の駆動電圧が出力され、出力端子１７３、１７４から正極性の駆動電圧が出力される。
【００５５】
２ライン２ドット反転駆動においても、各出力端子１７から出力される駆動電圧の極性が反転されない場合に、正極性の駆動電圧を出力する出力端子１７と負極性の駆動電圧を出力する出力端子１７とで別々にチャージシェアを行う必要がある。このため、上述のチャージシェア回路１６の構成では、正極性の駆動電圧を出力している出力端子１７が正極側チャージシェアライン１６ａに接続されるとともに、負極性の駆動電圧を出力している出力端子１７を負極側チャージシェアライン１６ｂに接続される。上述の極性判定回路１５は、このような動作を行うようにチャージシェア回路１６の各スイッチを制御する。
【００５６】
詳細には、第４ｋ＋１水平期間では、その直前の水平期間から極性信号ＰＯＬが反転されるので、各極性判定回路１５において極性信号ＰＯＬの反転が検出されて極性信号反転信号ＳＬＩＮＥが“Ｈ”レベルに設定される。このため、各水平期間において、チャージシェア信号ＣＳがアサートされている間にスイッチＳＷ２、ＳＷ３１、ＳＷ３２がオンされる。これにより、チャージシェア信号ＣＳがアサートされている間、全ての出力端子１７１〜１７４がショートされてチャージシェアが行われる。このとき、スイッチＳＷ１は、チャージシェア信号ＣＳがアサートされている間、オフされる。
【００５７】
第４ｋ＋１水平期間に続く第４ｋ＋２水平期間では、その直前の水平期間（第４ｋ＋１水平期間）から極性信号ＰＯＬが反転されず、よって極性信号反転信号ＳＬＩＮＥが“Ｌ”レベルに設定される。この場合、スイッチＳＷ２がオフされると共に、各極性判定回路１５において選択された選択極性信号ＰＯＬＳＥＬに応答してスイッチＳＷ３１、ＳＷ３２が制御される。
【００５８】
詳細には、極性判定回路１５１、１５２においては、選択極性信号ＰＯＬＳＥＬ（即ち、極性信号ＰＯＬ）が“Ｈ”レベルであることに応答して、チャージシェア信号ＣＳがアサートされている期間において、極性判定回路１５１、１５２に接続されたスイッチＳＷ３２がオンされる。ここで、極性判定回路１５１、１５２に接続されたスイッチＳＷ３１はオフのままに維持される。これにより、直前に正極性の駆動電圧が出力されていた出力端子１７１、１７２が正極側チャージシェアライン１６ａに接続され、出力端子１７１、１７２の間のチャージシェア動作が行われる。
【００５９】
一方、極性判定回路１５３、１５４においては、選択極性信号ＰＯＬＳＥＬ（即ち、極性信号／ＰＯＬ）が“Ｌ”レベルであることに応答して、チャージシェア信号ＣＳがアサートされている間、極性判定回路１５３、１５４に接続されたスイッチＳＷ３１がオンされる。極性判定回路１５２、１５４に接続されたスイッチＳＷ３２はオフのままに維持される。これにより、直前に負極性の駆動電圧が出力されていた出力端子１７３、１７４が負極側チャージシェアライン１６ｂに接続され、出力端子１７３、１７４の間のチャージシェア動作が行われる。
【００６０】
更に、第４ｋ＋３水平期間では、その直前の水平期間（第４ｋ＋２水平期間）から極性信号ＰＯＬが反転されるので、各極性判定回路１５において極性信号ＰＯＬの極性の反転が検出されて極性信号反転信号ＳＬＩＮＥが“Ｈ”レベルに設定される。このため、各水平期間において、チャージシェア信号ＣＳがアサートされている間にスイッチＳＷ２、ＳＷ３１、ＳＷ３２がオンされる。これにより、チャージシェア信号ＣＳがアサートされている間、全ての出力端子１７１〜１７４がショートされてチャージシェアが行われる。
【００６１】
第４ｋ＋３水平期間に続く第４ｋ＋４水平期間では、その直前の水平期間（第４ｋ＋３水平期間）から極性信号ＰＯＬが反転されず、よって極性信号反転信号ＳＬＩＮＥが“Ｌ”レベルに設定される。この場合、スイッチＳＷ２がオフされると共に、各極性判定回路１５において選択された選択極性信号ＰＯＬＳＥＬに応答してスイッチＳＷ３１、ＳＷ３２が制御される。
【００６２】
詳細には、極性判定回路１５１、１５２においては、選択極性信号ＰＯＬＳＥＬ（即ち、極性信号ＰＯＬ）が“Ｌ”レベルであることに応答して、チャージシェア信号ＣＳがアサートされている期間において、極性判定回路１５１、１５２に接続されたスイッチＳＷ３１がオンされる。ここで、極性判定回路１５１、１５２に接続されたスイッチＳＷ３２はオフのままに維持される。これにより、直前に負極性の駆動電圧が出力されていた出力端子１７１、１７２が負極側チャージシェアライン１６ｂに接続され、出力端子１７１、１７２の間のチャージシェア動作が行われる。
【００６３】
一方、極性判定回路１５３、１５４においては、選択極性信号ＰＯＬＳＥＬ（即ち、極性信号／ＰＯＬ）が“Ｈ”レベルであることに応答して、チャージシェア信号ＣＳがアサートされている間、極性判定回路１５３、１５４に接続されたスイッチＳＷ３２がオンされる。極性判定回路１５３、１５４に接続されたスイッチＳＷ３１はオフのままに維持される。これにより、直前に正極性の駆動電圧が出力されていた出力端子１７３、１７４が、正極側チャージシェアライン１６ａに接続され、出力端子１７３、１７４の間のチャージシェア動作が行われる。
【００６４】
以上では、１ライン１ドット反転駆動と１ライン２ドット反転駆動と、２ライン１ドット反転駆動と２ライン２ドット反転駆動のそれぞれの場合のチャージシェア動作が説明されているが、駆動電圧の極性が反転される空間的周期、時間的周期は、これらに限定されない。一般に、本実施形態の液晶表示装置の構成は、ＮラインＭドット反転駆動（Ｎ、Ｍは２以上の整数）、及び、それに応じたチャージシェア動作に対応している。例えば、Ｎライン反転駆動及びそれに応じたチャージシェア動作は、極性信号ＰＯＬをＮライン毎に（即ち、Ｎ水平期間毎に）反転することで容易に実現できる。本実施形態の液晶表示装置の構成では、極性信号ＰＯＬの反転が検出され、反転の検出の有無に応じてチャージシェア回路１６のスイッチが制御される。これにより、Ｎライン反転駆動及びそれに応じたチャージシェア動作を容易に実現することができる。
【００６５】
また、Ｍドット反転駆動及びそれに応じたチャージシェア動作を行うためには、内部ドット制御信号ＳＤＯＴ＿１〜ＳＤＯＴ＿２Ｍにより、Ｄ／Ａ変換回路１３が出力バッファ１４１〜１４ｎに出力する階調電圧の極性を、出力端子１７から出力される駆動電圧の極性がＭ個の出力端子１７毎に反転されるように選択すればよい。この場合、極性判定回路１５１〜１５ｎにおける選択極性信号ＰＯＬＳＥＬの選択も、Ｍ個の極性判定回路１５毎に（即ち、２Ｍ個の極性判定回路１５を周期として）切り替えられる。例えば、１ライン４ドット反転駆動及びそれに応じたチャージシェア動作が行われる場合、極性判定回路１５８ｊ＋１〜１５８ｊ＋４が選択極性信号ＰＯＬＳＥＬとして極性信号ＰＯＬを選択する一方で、極性判定回路１５８ｊ＋５〜１５８ｊ＋８が選択極性信号ＰＯＬＳＥＬとして極性信号／ＰＯＬを選択するように設定される。
【００６６】
以上に説明されているように、本実施形態の液晶表示装置では、極性信号ＰＯＬの反転を検知することで駆動電圧の極性が反転されるライン数（１ライン又はＮライン）に最適なチャージシェア方式の切り替えが自動的に行われている。即ち、駆動電圧の極性が反転されるライン数を指定する信号を外部から供給せずにチャージシェア方式の切り替えが自動的に行われる。これにより、本実施形態の液晶表示装置では、チャージシェアと反転駆動との両方を行うために外部から供給される制御信号の数が低減されている。
【００６７】
なお、上記の実施形態では、内部ドット制御信号ＳＤＯＴ＿１〜ＳＤＯＴ＿２Ｍが、外部から供給されるドット制御信号ＳＤＯＴに応答して制御回路１８によって生成されているが、内部ドット制御信号ＳＤＯＴ＿１〜ＳＤＯＴ＿２Ｍは、画像の種別（動画、静止画等）に応答して動的に生成されてもよい。この場合、制御回路１８に画素データＤＩＮが供給され、制御回路１８は、画素データＤＩＮから画像の種別を判別する。制御回路１８は、判別された画像の種別に応じて、１ドット反転又はＭドット反転のいずれが行われるかを決定し、決定された反転駆動の種別に応じた値の内部ドット制御信号ＳＤＯＴ＿１〜ＳＤＯＴ＿２Ｍを生成する。
【００６８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００６９】
１：データ線ドライバ
２：ゲート線ドライバ
３：ＬＣＤパネル
１１：データレジスタ回路
１２：ラッチ回路
１３：Ｄ／Ａ変換回路
１４：出力バッファ
１５：極性判定回路
１６：チャージシェア回路
１６ａ：正極側チャージシェアライン
１６ｂ：負極側チャージシェアライン
１７：出力端子
１８：制御回路
２１：ゲート線
２２：データ線
２３：画素
２３ａ：ＴＦＴ
２３ｂ：画素電極
２４：共通電極
３１：インバータ
３２：セレクタ
３３、３４：フリップフロップ
３５：ＸＯＲゲート
３６、３７：ＯＲゲート
３８、３９、４０：ＡＮＤゲート
【図１】
2014052535.tif 000003
【図２】
2014052535.tif 000004
【図３Ａ】
2014052535.tif 000005
【図３Ｂ】
2014052535.tif 000006
【図４Ａ】
2014052535.tif 000007
【図４Ｂ】
2014052535.tif 000008
【図５Ａ】
2014052535.tif 000009
【図５Ｂ】
2014052535.tif 000010
【図６Ａ】
2014052535.tif 000011
【図６Ｂ】
2014052535.tif 000012
【図７Ａ】
2014052535.tif 000013
【図７Ｂ】
2014052535.tif 000014